(57)【要約】      （修正有）【課題】浴槽の底面、浴室の洗い場、プールサイド等の対象面に載置された状態において、利用者が載った瞬間又は載った状態においても滑ることが効果的に防がれる滑り止めマットを提供する。【解決手段】底面側に滑り止め部Ａ１を有するエラストマー製の滑り止めマットＡであって、滑り止め部Ａ１は、一辺を共有して隣接し合う多数の同一の正三角形領域内に、それぞれ、底面１０ａが０．６４の面積比で縮小した一辺３．８ｍｍの正三角形状の滑り止め凸部１０を有し、他は一辺０．６ｍｍの正方形断面の排水凹部２０及びその他の凹部であり、各滑り止め凸部１０の正三角形状の底面１０ａの頂点部は、溝状の排水凹部２０同士が６０度ずつの角度で交差する交差凹部３０に臨む。滑り止め凸部１０の正三角形状の底面１０ａは、上面側の対応部に１００ｇｆ／ｃｍ２の荷重が下向きに載荷された状態において、その底面１０ａ全面が、半径１０ｍの球面に密着し得る。【選択図】図１
0003226677.tif 000002
【実用新案登録請求の範囲】
【請求項１】
底面側に所定の滑り止め部を有するエラストマー製の滑り止めマットであって、
前記滑り止め部は、一辺を共有して隣接し合う多数の同一の正三角形領域内に、それぞれ、底面が正三角形状をなす１つの滑り止め凸部を有し、その滑り止め凸部以外の部分は下方開口の凹部に形成されており、
前記各滑り止め凸部の底面は、前記各正三角形領域を同心状に０．６０乃至０．７２の一定の面積比で非回転縮小した正三角形状の、一定の平面に沿った平面状をなし、
前記凹部のうち隣接する滑り止め凸部の正三角形状の底面の相対する辺同士の間の部分は、深さが下方開口部の幅の０．５乃至１．５倍の溝状の排水凹部であり、
各滑り止め凸部の正三角形状の底面の頂点部は、前記溝状の排水凹部同士が６０度ずつの角度で交差する交差凹部に臨むものであり、
前記各滑り止め凸部の正三角形状の底面の一辺の長さは２．５乃至７．５ｍｍであり、各滑り止め凸部の正三角形状の底面は、上面側の対応部に１００ｇｆ／ｃｍ２の荷重が下向きに載荷された状態において、その底面全面が、半径１０ｍの球面に密着し得るものであることを特徴とする滑り止めマット。
【請求項２】
上記溝状の排水凹部の横断面は一定である請求項１記載の滑り止めマット。
【請求項３】
上記溝状の排水凹部の横断面形状は、方形状又は台形状である請求項１又は２記載の滑り止めマット。
【請求項４】
上記交差凹部のうち、所定の規則に従って選択された交差凹部内に、上面に貫通する貫通孔が形成され、
前記貫通孔は、上記滑り止め凸部の正三角形状の底面には及ばない請求項１乃至３の何れか１項に記載の滑り止めマット。
【請求項５】
上記滑り止め部が６個の隣接する上記正三角形領域により構成される正六角形領域の群に区切られ、各正六角形領域は一辺を共有して隣接し合うものとした場合に、各正六角形領域の中心に位置する交差凹部以外の交差凹部に貫通孔が形成されている請求項４記載の滑り止めマット。
【請求項６】
上記滑り止め部が６個の隣接する上記正三角形領域により構成される正六角形領域の群に区切られ、各正六角形領域は一辺を共有して隣接し合うものとした場合に、各正六角形領域の中心に位置する交差凹部に貫通孔が形成されている請求項４記載の滑り止めマット。
【請求項７】
上記貫通孔が、交差凹部に臨む滑り止め凸部の正三角形状の底面の頂点部に内接するものであるか又はそれよりも内側に位置するものである請求項４乃至６の何れか１項に記載の滑り止めマット。
【請求項８】
上記貫通孔の横断面形状が、円形状又は角数６以上の正多角形状である請求項４乃至７の何れか１項に記載の滑り止めマット。
【考案の詳細な説明】
【技術分野】
【０００１】
本考案は、浴槽の底面、浴室の洗い場、プールサイド等に載置して滑り止めのために使用する滑り止めマットに関する。
【背景技術】
【０００２】
特許第４５２３９２２号公報の図４並びに明細書の段落００５７には、表面層１４の表面全面に溝１６を形成した滑り止めマット１０'が示されている。
【０００３】
同公報の明細書の段落００５８には、「溝１６は、滑り止めマット１０'を濡れた床面に敷いたときに排水溝として機能するものであり、斜め方向に直線状に伸びる複数の溝１６が所定間隔を隔てて形成されている（これにより、表面層１４の表面には、略ダイヤ形状の凹凸パターンが構成されることとなる。）。各溝１６の端部は、表面層１４の側面に達するように形成されており、これにより溝１６が排水溝としてより効果的に機能できることとなる。」旨記載されている。
【０００４】
また、特許第４５２３９２２号公報の図５並びに明細書の段落００６２及び００６３には、一方の表面層１４から他方の表面層１４まで貫通する水抜き用の孔１８が形成された滑り止めマット１０''が示され、この滑り止めマット１０''を湯船に沈めて使用する際、湯が水抜き用の孔１８を通り抜けることができ、その際、滑り止めマット１０''には適度な抵抗力が生じ、滑り止めマット１０''を湯船中にまっすぐ沈めることができるとされている。
【０００５】
特許第４５２３９２２号公報に記載されている滑り止めマット１０''における水抜き用の孔１８は、溝１６や凹凸パターンとの間に特に関係なく設けられている。
【０００６】
意匠登録第１４０６９６６号公報には、略正三角形状底面の底辺同士が相対する一対の凸部が、底辺が直線上に並ぶように一定間隔おきに多数並んでなる列が、その一定間隔の半分ずつずれた状態で多数並列した状態で底面側に有する滑り止めマットが示されている。
【０００７】
また意匠登録第１５３９４５４号公報号公報には、一定の溝部を介して多数隣接した略正三角形状底面の凸部を底部全面に有する滑り止めマットが示されている。
【０００８】
これらは何れも、お湯が収容された浴槽の底面のような水中の対象面や、浴室の洗い場やプールサイドのように表面に存在し得る水の量が比較的多い対象面の上に載置された状態で滑り止めのために用いられるものであるが、利用者が足裏で載った瞬間や腰を下ろした瞬間において、或いは、足裏で載った状態や腰を下ろした状態においても、対象面に対し滑ることが効果的に防がれる技術について示されたものではない。
【先行技術文献】
【特許文献】
【０００９】
【特許文献１】特許第４５２３９２２号公報
【特許文献２】意匠登録第１４０６９６６号公報
【特許文献３】意匠登録第１５３９４５４号公報
【考案の概要】
【考案が解決しようとする課題】
【００１０】
本考案は、お湯が収容された浴槽の底面のような水中の対象面や、浴室の洗い場やプールサイドのように表面に存在し得る水の量が比較的多い対象面の上に載置された状態において、利用者が足裏で載った瞬間や腰を下ろした瞬間において、或いは、足裏で載った状態や腰を下ろした状態においても、対象面に対し滑ることが効果的に防がれる滑り止めマットを提供することを目的とする。
【課題を解決するための手段】
【００１１】
本考案の滑り止めマットは、次のように表すことができる。
【００１２】
(1) 底面側に所定の滑り止め部を有するエラストマー製の滑り止めマットであって、
前記滑り止め部は、一辺を共有して隣接し合う多数の同一の正三角形領域内に、それぞれ、底面が正三角形状をなす１つの滑り止め凸部を有し、その滑り止め凸部以外の部分は下方開口の凹部に形成されており、
前記各滑り止め凸部の底面は、前記各正三角形領域を同心状に０．６０乃至０．７２の一定の面積比で非回転縮小した正三角形状の、一定の平面に沿った平面状をなし、
前記凹部のうち隣接する滑り止め凸部の正三角形状の底面の相対する辺同士の間の部分は、深さが下方開口部の幅の０．５乃至１．５倍の溝状の排水凹部であり、
各滑り止め凸部の正三角形状の底面の頂点部は、前記溝状の排水凹部同士が６０度ずつの角度で交差する交差凹部に臨むものであり、
前記各滑り止め凸部の正三角形状の底面の一辺の長さは２．５乃至７．５ｍｍであり、各滑り止め凸部の正三角形状の底面は、上面側の対応部に１００ｇｆ／ｃｍ２の荷重が下向きに載荷された状態において、その底面全面が、半径１０ｍの球面に密着し得るものであることを特徴とする滑り止めマット。
【００１３】
この滑り止めマットはエラストマー製で、各滑り止め凸部の正三角形状の底面の一辺の長さは２．５乃至７．５ｍｍであり、各滑り止め凸部の正三角形状の底面は、上面側の対応部に１００ｇｆ／ｃｍ２の荷重が下向きに載荷された状態において、その底面全面が、半径１０ｍの球面に密着し得るものである。
【００１４】
前記エラストマー製滑り止めマットを、底面を下側として浴槽の底面或いは浴室の洗い場やプールサイドの上面のような対象面の上に載置した場合、前記滑り止めマットの全体的形状は、平面、曲面等の対象面の形状に応じたものとなる。
【００１５】
この状態のエラストマー製滑り止めマットに、利用者が立った状態で足裏で載ったり、腰を下ろしたり（臀部で座ったり）して下向き荷重を載荷した場合、対象面が、平面に限らず、少なくとも半径１０ｍの球面と同程度か又はそれ以下の曲率の曲面であっても、底面側の所定の滑り止め部のうち下向き荷重が載荷された部分において、各滑り止め凸部の正三角形状の底面全体が対象面に密接したものとなり易い。
【００１６】
前記エラストマー製滑り止めマットが、底面を下側として、お湯が収容された浴槽の底面のような水中の対象面や、浴室の洗い場やプールサイドのように表面に存在し得る水の量が比較的多い対象面の上に載置された状態においては、対象面と滑り止めマットの底面の間隙に、ある程度の水（又は水系液体若しくはその他の液体。以下、「水」の語を、水系液体若しくはその他の液体を含めた意味でも用いる。）が、例えば膜状又は薄層状に、存在することとなり易い。
【００１７】
ところが、前記滑り止めマットの底面側の所定の滑り止め部は、一辺を共有して隣接し合う多数の同一の正三角形領域に、それぞれ、底面が正三角形状をなす１つの滑り止め凸部を有し、その滑り止め凸部以外の部分は下方開口の凹部に形成されており、各滑り止め凸部の底面は、前記各正三角形領域を同心状に０．６０乃至０．７２の一定の面積比で非回転縮小した正三角形状の、一定の平面に沿った平面状をなし、前記凹部のうち隣接する滑り止め凸部の正三角形状の底面の相対する辺同士の間の部分は、深さが下方開口部の幅の０．５乃至１．５倍の溝状の排水凹部であり、各滑り止め凸部の正三角形状の底面の頂点部は、前記溝状の排水凹部同士が６０度ずつの角度で交差する交差凹部に臨むものである。そのため、各排水凹部を通じての排水効率が可及的に良好なものであると共に、底面側に占める滑り止め凸部の正三角形状の底面の面積の比率が可及的に大きい。
【００１８】
これにより、前記のように、対象面と滑り止めマットの底面の間隙にある程度の間隙水が存在する状態で底面を下側として対象面上に載置されたエラストマー製滑り止めマット上に、利用者が立った状態で足裏で載った場合や腰を下ろした場合、底面側の所定の滑り止め部のうち下向き荷重が載荷された部分において、対象面が平面に限らず少なくとも半径１０ｍの球面と同程度か又はそれ以下の曲率の曲面であっても、溝状の排水凹部及び交差凹部を通じて下向き荷重が載荷された部分から外方への間隙水の排出と、各滑り止め凸部の一辺２．５乃至７．５ｍｍの正三角形状の底面全面の対象面に対する密着が、効率的に極めて短時間で生じ、利用者が滑り止めマット上に足裏で載った瞬間や腰を下ろした瞬間において、或いは、足裏で載った状態や腰を下ろした状態においても、滑り止めマットが対象面に対し滑ることが効果的に防がれる。
【００１９】
(2) 上記溝状の排水凹部の横断面は一定である上記(1)記載の滑り止めマット。
【００２０】
(3) 上記溝状の排水凹部の横断面形状は、方形状又は台形状である上記(1)又は(2)記載の滑り止めマット。
【００２１】
(4) 上記交差凹部のうち、所定の規則に従って選択された交差凹部内に、上面に貫通する貫通孔が形成され、
前記貫通孔は、上記滑り止め凸部の正三角形状の底面には及ばない上記(1)乃至(3)の何れか１項に記載の滑り止めマット。
【００２２】
交差凹部のうち、所定の規則（例えば幾何的規則）に従って（例えば所定割合で）選択された交差凹部内に、上面に貫通する貫通孔が、上記滑り止め凸部の正三角形状の底面に及ばないように、各滑り止め凸部の正三角形状の底面の面積を維持しつつ形成されている。
【００２３】
対象面と滑り止めマットの底面の間隙にある程度の間隙水が存在する状態で底面を下側として対象面上に載置されたエラストマー製滑り止めマット上に、利用者が立った状態で足裏で載った場合や腰を下ろした場合、底面側の所定の滑り止め部のうち下向き荷重が載荷された部分において、対象面が平面に限らず少なくとも半径１０ｍの球面と同程度か又はそれ以下の曲率の曲面であっても、溝状の排水凹部及び交差凹部を通じての下向き荷重が載荷された部分から外方への間隙水の排出及び交差凹部内に設けられた貫通孔を通じての滑り止めマット上面側への排水と、各滑り止め凸部の一辺２．５乃至７．５ｍｍの正三角形状の底面全面の対象面に対する密着が、効率的に極めて短時間で生じる。
【００２４】
貫通孔は滑り止め凸部の正三角形状の底面には及ばないので、正三角形状の底面の対象面に対する密着による滑り止めが貫通孔によって損なわれることは生じない。
【００２５】
そのため、利用者が滑り止めマット上に足裏で載った瞬間や腰を下ろした瞬間において、或いは、足裏で載った状態や腰を下ろした状態においても、滑り止めマットが対象面に対し滑ることが一層効果的に防がれる。
【００２６】
(5) 上記滑り止め部が６個の隣接する上記正三角形領域により構成される正六角形領域の群に区切られ、各正六角形領域は一辺を共有して隣接し合うものとした場合に、各正六角形領域の中心に位置する交差凹部以外の交差凹部に貫通孔が形成されている上記(4)記載の滑り止めマット。
【００２７】
(6) 上記滑り止め部が６個の隣接する上記正三角形領域により構成される正六角形領域の群に区切られ、各正六角形領域は一辺を共有して隣接し合うものとした場合に、各正六角形領域の中心に位置する交差凹部に貫通孔が形成されている上記(4)記載の滑り止めマット。
【００２８】
(7) 上記貫通孔が、交差凹部に臨む滑り止め凸部の正三角形状の底面の頂点部に内接するものであるか又はそれよりも内側に位置するものである上記(4)乃至(6)の何れか１項に記載の滑り止めマット。
【００２９】
この場合、前記のような間隙水が貫通孔を通じて滑り止めマット上面側へできるだけ円滑に排水されるようにすることができる。
【００３０】
(8) 上記貫通孔の横断面形状が、円形状又は角数６以上の正多角形状である上記(4)乃至(7)の何れか１項に記載の滑り止めマット。
【００３１】
この場合、前記のような間隙水が貫通孔を通じて滑り止めマット上面側へより円滑に排水されるようにすることができる。
【考案の効果】
【００３２】
本考案の滑り止めマットによれば、対象面と滑り止めマットの底面の間隙にある程度の間隙水が存在する状態で底面を下側として対象面上に載置されたエラストマー製滑り止めマット上に、利用者が立った状態で足裏で載った場合や腰を下ろした場合、底面側の所定の滑り止め部のうち下向き荷重が載荷された部分において、対象面が平面に限らず少なくとも半径１０ｍの球面と同程度か又はそれ以下の曲率の曲面であっても、溝状の排水凹部及び交差凹部を通じて下向き荷重が載荷された部分から外方への間隙水の排出と、各滑り止め凸部の一辺２．５乃至７．５ｍｍの正三角形状の底面全面の対象面に対する密着が、効率的に極めて短時間で生じ、利用者が滑り止めマット上に足裏で載った瞬間や腰を下ろした瞬間において、或いは、足裏で載った状態や腰を下ろした状態においても、滑り止めマットが対象面に対し滑ることが効果的に防がれる。
【図面の簡単な説明】
【００３３】
【図１】滑り止めマットの底面図である。
【図２】図１に示す滑り止めマットの正三角形領域のみを示す要部拡大底面図である。
【図３】図１に示す滑り止めマットの要部拡大底面図である。
【図４】図３におけるIV−IV要部断面図である。
【図５】別の滑り止めマットの底面図である。
【図６】図５に示す滑り止めマットの要部拡大底面図である。
【図７】図６におけるVII−VII要部断面図である。
【考案を実施するための形態】
【００３４】
[1] 本考案の実施の形態を、図面を参照しつつ説明する。  
【００３５】
(1) 図１乃至図４は、本考案の滑り止めマットＡの実施の形態の一例に関するものである。
【００３６】
この滑り止めマットＡは、底面側が滑り止め部Ａ１であるエラストマー製の滑り止めマットである。この滑り止めマットＡは、上面側にも滑り止め機能を発揮する構造を有するが、図示を略す。
【００３７】
(1-1) この滑り止めマットＡは、全体がエラストマー（シリコーンゴム）製である。
【００３８】
滑り止めマットＡの構造及び構成するエラストマー材料の物性については、滑り止め部Ａ１に有する滑り止め凸部１０の正三角形状の底面１０ａ（一辺の長さが３．８ｍｍの正三角形状である平面状の底面１０ａ）が、上面側の対応部に１００ｇｆ／ｃｍ２の荷重が下向きに載荷された状態において、半径が１０ｍの球面に密着し得るものとされている。
【００３９】
(1-2) 滑り止め部
【００４０】
エラストマー製の滑り止めマットＡの底面側の全部が滑り止め部Ａ１である。
【００４１】
滑り止め部Ａ１は、一辺（長さ５．５６ｍｍ）を共有して隣接し合う多数の同一の正三角形領域Ｒ内に、それぞれ、底面１０ａが正三角形状をなす１つの滑り止め凸部１０を有し、その滑り止め凸部１０以外の部分は下方開口の凹部に形成されている。
【００４２】
滑り止め部Ａ１は、一辺を共有して隣接し合う多数の同一の正三角形領域Ｒに区分されているが、滑り止めマットＡの底面（すなわち滑り止め部Ａ１）の外周縁部は正三角形の一部が欠けた領域に区分されている。
【００４３】
(1-3) 滑り止め凸部
【００４４】
各滑り止め凸部１０の底面１０ａは、各正三角形領域Ｒを同心状に０．６４の一定の面積比で非回転縮小した正三角形状の、一定の平面に沿った平面状をなす。
【００４５】
正三角形状をなす各滑り止め凸部１０の底面１０ａは、３辺が非回転縮小した正三角形の各辺に沿い、角部は角丸めがなされた、一辺３．８ｍｍの略正三角形である。
【００４６】
一定の面積比での非回転縮小であるから、各正三角形領域Ｒに対し、各滑り止め凸部１０の底面１０ａは相似状をなし、対応する各辺同士は平行であり、対応する各辺の間隔は０．６ｍｍで一定である。
【００４７】
滑り止め凸部１０の高さは、０．６ｍｍである。
【００４８】
滑り止め凸部１０の側部は、垂直面状であり、各排水凹部２０の側壁部を構成する。
【００４９】
(1-4) 排水凹部
【００５０】
滑り止めマットＡの底面側の滑り止め部Ａ１のうち、滑り止め凸部１０以外の部分は下方開口の凹部に形成されている。
【００５１】
その凹部のうち、隣接する滑り止め凸部１０の正三角形状の底面１０ａの相対する辺同士の間の部分は、深さが下方開口部の幅（隣接する滑り止め凸部１０の正三角形状の底面１０ａの相対する辺同士の間隔）と同じである正方形断面の溝状の排水凹部２０である。溝状の排水凹部２０は、一定の正方形断面であり、滑り止め凸部１０の底面１０ａの面積を広くしながら、排水凹部２０の横断面積が可及的に大きくとられ、排水凹部２０を通じた間隙水の排水が可及的に円滑に行われる。
【００５２】
(1-5) 交差凹部
【００５３】
滑り止めマットＡの底面側（すなわち滑り止め部Ａ１）のうち、滑り止め凸部１０以外の部分は下方開口の一定深さの凹部に形成されており、各滑り止め凸部１０の正三角形状の底面１０ａの頂点部は、前記溝状の排水凹部２０同士が６０度ずつの角度で交差する交差凹部３０に臨む。交差凹部３０は、基本的に６０度中心角毎の６つの溝状の排水凹部２０が交差するものである。
【００５４】
(1-6) この滑り止めマットＡによれば、対象面と滑り止めマットＡの底面の間隙にある程度の間隙水が存在する状態で底面を下側として対象面上に載置されたエラストマー製滑り止めマットＡ上に、利用者が立った状態で足裏で載った場合や腰を下ろした場合、底面側の所定の滑り止め部Ａ１のうち下向き荷重が載荷された部分において、対象面が平面に限らず少なくとも半径１０ｍの球面と同程度か又はそれ以下の曲率の曲面であっても、溝状の排水凹部２０及び交差凹部３０を通じて下向き荷重が載荷された部分から外方への間隙水の排出と、各滑り止め凸部１０の一辺３．８ｍｍの正三角形状の底面１０ａ全面の対象面に対する密着が、効率的に極めて短時間で生じ、利用者が滑り止めマットＡ上に足裏で載った瞬間や腰を下ろした瞬間において、或いは、足裏で載った状態や腰を下ろした状態においても、滑り止めマットＡが対象面に対し滑ることが効果的に防がれる。
【００５５】
(2) 図５乃至図７は、本考案の滑り止めマットＡの実施の形態の別の一例に関するものである。
【００５６】
(2-1) 貫通孔
【００５７】
この例の滑り止めマットＢは、選択された交差凹部３０のそれぞれに、交差凹部３０に開口し、滑り止めマットＢの上面に貫通する半径１．１ｍｍの円柱形状の貫通孔Ｈが形成されている。
【００５８】
各交差凹部３０に形成された貫通孔Ｈは、その交差凹部３０に臨む滑り止め凸部１０の正三角形状の底面１０ａの頂点部に内接している。
【００５９】
貫通孔Ｈが形成されている交差凹部３０は、滑り止めマットＢの底面側（すなわち滑り止め部Ｂ１）が、６個の隣接する上記正三角形領域Ｒにより構成される正六角形領域の群に区切られ、各正六角形領域は一辺を共有して隣接し合うものとした場合に、各正六角形領域の中心に位置する交差凹部３０以外の交差凹部３０である。
【００６０】
この滑り止めマットＢの構成は、貫通孔Ｈを有する点を除いて滑り止めマットＡと同様である。この滑り止めマットＢも、上面側にも滑り止め機能を発揮する構造を有するが、図示を略す。
【００６１】
(2-2) 対象面と滑り止めマットＢの底面の間隙にある程度の間隙水が存在する状態で底面を下側として対象面上に載置されたエラストマー製滑り止めマットＢ上に、利用者が立った状態で足裏で載った場合や腰を下ろした場合、底面側の所定の滑り止め部Ｂ１のうち下向き荷重が載荷された部分において、対象面が平面に限らず少なくとも半径１０ｍの球面と同程度か又はそれ以下の曲率の曲面であっても、溝状の排水凹部２０及び交差凹部３０を通じての下向き荷重が載荷された部分から外方への間隙水の排出及び交差凹部３０に設けられた貫通孔Ｈを通じての滑り止めマットＢ上面側への排水と、各滑り止め凸部１０の一辺３．８ｍｍの正三角形状の底面１０ａ全面の対象面に対する密着が、効率的に極めて短時間で生じ、利用者が滑り止めマットＢ上に足裏で載った瞬間や腰を下ろした瞬間において、或いは、足裏で載った状態や腰を下ろした状態においても、滑り止めマットＢが対象面に対し滑ることが一層効果的に防がれる。
【００６２】
[2] 本考案の実施の形態を、上記以外の形態を含めて更に説明する。
【００６３】
本考案の滑り止めマットは、底面側に所定の滑り止め部を有するエラストマー製の滑り止めマットである。尤も、本考案の滑り止めマットは、上面側も、例えば種々の凸部および／または凹部からなる滑止部を有する等、滑り止め機能を発揮する構造を有するものであることが望ましい。
【００６４】
(1) 本考案の滑り止めマットは、エラストマー製である。マット全部がエラストマー製であることを要するものではなく、例えば、滑り止めマットとして機能する主要部がエラストマー製であるものは、エラストマー製と言うことができる。
【００６５】
エラストマーとは、常温付近でゴム弾性を示す高分子物質であり、架橋した天然ゴムや合成ゴム（各種添加物等を含有するものとすることができる）を代表例として挙げることができる。好ましいエラストマーの一例として、シリコーンゴムを挙げることができるが、これに限られるものではない。
【００６６】
滑り止めマットの構造及び構成するエラストマー材料としては、滑り止め部に有する滑り止め凸部の正三角形状の底面（例えば、一辺の長さが２．５乃至７．５ｍｍの正三角形状である平面状の底面）が、上面側の対応部に１００ｇｆ／ｃｍ２の荷重が下向きに載荷された状態において、半径が１０ｍの球面（すなわち、浴槽の緩やかな凹曲面からなる底面のように緩やかな曲面）に密着し得るものである。滑り止めマットの厚さは、例えば１．５乃至１０ｍｍとすることができる。好ましくは２乃至５ｍｍである。
【００６７】
(2) 滑り止め部
【００６８】
エラストマー製の滑り止めマットの底面側に所定の滑り止め部を有する。滑り止めマットの底面側の全部が滑り止め部であるものとすることができる他、滑り止めマットの底面側の一つの部分が滑り止め部であるもの又は複数の部分がそれぞれ滑り止め部であるものとすることもできる。
【００６９】
底面側の全部又は一つの部分である滑り止め部又は底面側の複数の部分である各滑り止め部は、一辺を共有して隣接し合う多数の同一の正三角形領域内に、それぞれ、底面が正三角形状をなす１つの滑り止め凸部を有し、その滑り止め凸部以外の部分は下方開口の凹部に形成されている。
【００７０】
同一の正三角形領域が一辺を共有して隣接し合うというのは、隣接する一方の正三角形領域の一辺が、そのまま他方の正三角形領域の一辺を構成することを言う。
【００７１】
また、正三角形状をなす各滑り止め凸部の底面としては、例えば、３辺が非回転縮小した正三角形の各辺に沿い、角部も非回転縮小した正三角形に沿うもの（非回転縮小した正三角形そのもの）、或いは、３辺が非回転縮小した正三角形の各辺に沿い、角部は角丸め等の変形がなされたものを言う。
【００７２】
滑り止め部は、一辺を共有して隣接し合う多数の同一の正三角形領域に区分されるが、滑り止め部の周縁部（外周縁部に限らない）においては、正三角形の一部が欠けた領域（正三角形の外形に合致しない部分が欠けた領域）に区分されるものであってもよい。
【００７３】
(3) 滑り止め凸部
【００７４】
各滑り止め凸部の底面は、各正三角形領域を同心状に０．６０乃至０．７２の一定の面積比で非回転縮小した正三角形状の、一定の平面に沿った平面状をなす。
【００７５】
一定の面積比での非回転縮小であるから、各正三角形領域に対し、各滑り止め凸部の底面は相似状をなし、対応する各辺同士は平行であり、対応する各辺の間隔は一定である。
【００７６】
滑り止め凸部の正三角形状の底面の一辺の長さは、２．５乃至７．５ｍｍであるものとすることが好ましい。より好ましくは３乃至５．５ｍｍ、更に好ましくは３．５乃至５ｍｍである。
【００７７】
滑り止め凸部の高さは、０．３乃至１ｍｍであるものとすることが好ましい。より好ましくは、０．４乃至０．７ｍｍである。
【００７８】
滑り止め凸部の側部は、各排水凹部の側壁部を構成するものであり、例えば、垂直面状、傾斜面状、外側に凸又は凹の曲面状とすることができる。
【００７９】
(4) 排水凹部
【００８０】
底面側の滑り止め部のうち、滑り止め凸部以外の部分は下方開口の凹部に形成されている。
【００８１】
その凹部のうち、隣接する滑り止め凸部の正三角形状の底面の相対する辺同士の間の部分は、深さが下方開口部の幅（隣接する滑り止め凸部の正三角形状の底面の相対する辺同士の間隔）の０．５乃至１．５倍（好ましくは０．８乃至１．２倍、より好ましくは１倍）の溝状（例えば方形断面の溝状）の排水凹部である。
【００８２】
排水凹部は、相対する滑り止め凸部の正三角形状の底面の両辺をそれぞれ両縁とする溝状をなし、下方開口部の幅というのは、溝状の排水凹部の下方開口部の幅である。
【００８３】
溝状の排水凹部の横断面は一定であるものとして、排水凹部を水又はその他の液体が可及的に円滑に流れ得るものとすることが好ましい。
【００８４】
また、溝状の排水凹部の横断面形状は、例えば方形状又は台形状（下方開口部に向かって拡開する台形状）とすることができ、滑り止め凸部の底面の面積を広くしながら排水凹部の横断面籍を可及的に大きくして排水凹部を通じた前記のような間隙水の排水が円滑に行われるようにする上で方形状であることが好ましいが、これに限るものではない。
【００８５】
(5) 交差凹部
【００８６】
底面側の滑り止め部のうち、滑り止め凸部以外の部分は下方開口の凹部に形成されており、各滑り止め凸部の正三角形状の底面の頂点部は、前記溝状の排水凹部同士が６０度ずつの角度で交差する交差凹部に臨む。交差凹部は、基本的に６０度中心角毎の６つの溝状の排水凹部が交差するものである。
【００８７】
交差凹部は、溝状の排水凹部と同じ深さとすることができるが、これに限らず、例えば排水凹部よりも深くすることもできる。
【００８８】
(6) 貫通孔
【００８９】
本考案の滑り止めマットは、交差凹部のうち、所定の規則（例えば幾何的規則）に従って（例えば所定割合で）選択された交差凹部に、その交差凹部に開口して滑り止めマットの上面に貫通する貫通孔が形成され、前記貫通孔は上記滑り止め凸部の正三角形状の底面には及ばない（貫通孔の一部又は全部が滑り止め凸部の正三角形状の底面に開口することはない）ものとすることができる。
【００９０】
また貫通孔は、例えば、滑り止め部が６個の隣接する上記正三角形領域により構成される正六角形領域の群に区切られ、各正六角形領域は一辺を共有して隣接し合うものとした場合に、各正六角形領域の中心に位置する交差凹部以外の交差凹部に貫通孔が形成されているものとすることができる。
【００９１】
或いは、貫通孔は、例えば、前記隣接する正六角形群の各正六角形の中心の交差部に貫通孔が形成されたものとすることができる。
【００９２】
交差凹部に形成された貫通孔は、その交差凹部に臨む滑り止め凸部の正三角形状の底面の頂点部に内接するものであるか又はそれよりも内側に位置するもの（例えば、内側に位置して前記頂点部に臨むもの）とすることができる。
【００９３】
貫通孔の横断面形状は、例えば、円周もしくは円周以外の閉曲線により囲まれた断面形状又は多角形断面形状（好ましくは正多角形断面形状、例えば角数６以上の正多角形断面形状）とすることができる。貫通孔の横断面形状として好ましいのは、円形状又は角数６以上の正多角形状、例えば各角が各排水凹部の幅方向中央に位置する正六角形状若しくは各角が各滑り止め凸部の正三角形状の底面の頂点に接した正六角形状である。
【００９４】
(7) 「底面側に所定の滑り止め部を有するエラストマー製の滑り止めマットであって、
前記滑り止め部は、一辺を共有して隣接し合う多数の同一の正三角形領域内に、それぞれ、底面が正三角形状をなす１つの滑り止め凸部を有し、その滑り止め凸部以外の部分は下方開口の凹部に形成されており、
前記各滑り止め凸部の底面は、前記各正三角形領域を同心状に０．６０乃至０．７２の一定の面積比で非回転縮小した正三角形状の、一定の平面に沿った平面状をなし、
前記凹部のうち隣接する滑り止め凸部の正三角形状の底面の相対する辺同士の間の部分は、深さが下方開口部の幅の０．５乃至１．５倍の溝状の排水凹部であり、
各滑り止め凸部の正三角形状の底面の頂点部は、前記溝状の排水凹部同士が６０度ずつの角度で交差する交差凹部に臨むものであり、
交差凹部のうち、所定の規則に従って選択された交差凹部内に、上面に貫通する貫通孔が形成され、
前記貫通孔は、上記滑り止め凸部の正三角形状の底面には及ばない滑り止めマット」、すなわち、上記「各滑り止め凸部の正三角形状の底面の一辺の長さは２．５乃至７．５ｍｍであり、各滑り止め凸部の正三角形状の底面は、上面側の対応部に１００ｇｆ／ｃｍ２の荷重が下向きに載荷された状態において、その底面全面が、半径１０ｍの球面に密着し得るものである」という構成を有しない点を除いて上記「貫通孔」を有する滑り止めマットと同様の構成を有する滑り止めマットとすることもできる。
【００９５】
この滑り止めマットにおいては、対象面と滑り止めマットの底面の間隙にある程度の間隙水が存在する状態で底面を下側として対象面上に載置されたエラストマー製滑り止めマット上に、利用者が立った状態で足裏で載った場合や腰を下ろした場合、底面側の所定の滑り止め部のうち下向き荷重が載荷された部分において、溝状の排水凹部及び交差凹部を通じての下向き荷重が載荷された部分から外方への間隙水の排出及び交差凹部内に設けられた貫通孔を通じての滑り止めマット上面側への排水と、各滑り止め凸部の正三角形状の底面の対象面に対する密着が、効率的に生じる。
【００９６】
貫通孔は滑り止め凸部の正三角形状の底面には及ばないので、正三角形状の底面の対象面に対する密着による滑り止めが貫通孔によって損なわれることは生じない。
【００９７】
そのため、利用者が滑り止めマット上に足裏で載った際や腰を下ろした際において、或いは、足裏で載った状態や腰を下ろした状態においても、滑り止めマットが対象面に対し滑ることが効果的に防がれる。
【符号の説明】
【００９８】
１０    滑り止め凸部
１０ａ  底面
２０    排水凹部
３０    交差凹部
Ａ      滑り止めマット
Ａ１    滑り止め部
Ｂ      滑り止めマット
Ｂ１    滑り止め部
Ｈ      貫通孔
Ｒ      正三角形領域
【図１】
0003226677.tif 000003
【図２】
0003226677.tif 000004
【図３】
0003226677.tif 000005
【図４】
0003226677.tif 000006
【図５】
0003226677.tif 000007
【図６】
0003226677.tif 000008
【図７】
0003226677.tif 000009